(57)【要約】【課題】端末装置の消費電力を抑制しながら位置登録を確実に実行すること。【解決手段】端末装置は、自装置の電源を用いてセルラ通信システムにおける無線通信を行うための第１の通信機能と、基地局装置から送信された無線信号をその無線信号の電力を用いて受信する第２の通信機能を有する。第２の通信機能は、その無線信号に含まれる基地局装置の位置に関する情報が位置登録に関する所定の条件を満たす場合に第１の通信機能を起動し、第１の通信機能は、位置登録に関する所定の条件が満たされて起動された場合に位置登録のための処理を実行する。【選択図】  図５
2019169923.tif 000002
【特許請求の範囲】
【請求項１】
端末装置であって、
前記端末装置の電源を用いてセルラ通信システムにおける無線通信を行うための第１の通信手段と、
基地局装置から送信された無線信号を当該無線信号の電力を用いて受信する第２の通信手段であって、前記無線信号に含まれる前記基地局装置のエリアに関する情報が位置登録に関する所定の条件を満たす場合に前記第１の通信手段を起動する第２の通信手段と、
を有し、
前記第１の通信手段は、前記位置登録に関する所定の条件が満たされて起動された場合に位置登録のための処理を実行する、
ことを特徴とする端末装置。
【請求項２】
前記第２の通信手段は、受信されるエリアに関する情報が変化したことに基づいて、前記位置登録に関する所定の条件が満たされると判定する、
ことを特徴とする請求項１に記載の端末装置。
【請求項３】
前記第１の通信手段は、前記位置登録のための処理として、トラッキングエリアを確認可能な信号を受信し、前記端末装置の位置に対応するトラッキングエリアが変化していた場合に、位置登録要求を前記基地局装置へ送信する、
ことを特徴とする請求項２に記載の端末装置。
【請求項４】
トラッキングエリアごとに１つ以上のセルの識別子のグループが形成され、
前記第１の通信手段は、前記位置登録のための処理として、セルの識別子を確認可能な信号を受信し、受信した識別子が属するグループが変化していた場合に、位置登録要求を前記基地局装置へ送信する、
ことを特徴とする請求項２に記載の端末装置。
【請求項５】
前記位置に関する情報は、トラッキングエリアに関する情報であり、
前記第２の通信手段は、受信されるトラッキングエリアに関する情報が変化したことに基づいて、前記位置登録に関する所定の条件が満たされると判定し、
前記第１の通信手段は、前記位置登録のための処理として、位置登録要求を前記基地局装置へ送信する、
ことを特徴とする請求項１に記載の端末装置。
【請求項６】
前記第２の通信手段は、前記位置登録に関する所定の条件が満たされた際の前記無線信号に含まれる前記基地局装置の位置に関する情報を保持し、保持している情報と受信される無線信号に含まれる前記端末装置の位置に関する情報とに基づいて前記変化があったか否かを判定する、
ことを特徴とする請求項２から５のいずれか１項に記載の端末装置。
【請求項７】
前記第２の通信手段は、前記セルラ通信システムのシステム周波数帯域内において前記無線信号を受信する、
ことを特徴とする請求項１から６のいずれか１項に記載の端末装置。
【請求項８】
前記第２の通信手段は、前記セルラ通信システムのガードバンドの周波数帯域において前記無線信号を受信する、
ことを特徴とする請求項１から６のいずれか１項に記載の端末装置。
【請求項９】
基地局装置であって、
セルラ通信システムにおける無線通信のための端末装置の第１の通信手段を起動可能な前記端末装置の第２の通信手段で受信される無線信号を送信する送信手段を有し、
前記端末装置の第２の通信手段は前記無線信号の電力を用いて当該無線信号を受信し、
前記送信手段は、前記基地局装置のエリアの情報を含んだ前記無線信号を送信する、
ことを特徴とする基地局装置。
【請求項１０】
前記基地局装置のエリアの情報は、当該基地局装置のトラッキングエリアの情報を含む、
ことを特徴とする請求項９に記載の基地局装置。
【請求項１１】
前記送信手段は、前記セルラ通信システムのシステム周波数帯域内において前記無線信号を送信する、
ことを特徴とする請求項９又は１０に記載の基地局装置。
【請求項１２】
前記送信手段は、前記セルラ通信システムのガードバンドの周波数帯域において前記無線信号を送信する、
ことを特徴とする請求項９又は１０に記載の基地局装置。
【請求項１３】
端末装置の電源を用いてセルラ通信システムにおける無線通信を行うための第１の通信手段と、基地局装置から送信された無線信号を当該無線信号の電力を用いて受信する第２の通信手段とを有する端末装置の制御方法であって、
前記第２の通信手段が、前記無線信号に含まれる前記基地局装置の位置に関する情報が位置登録に関する所定の条件を満たす場合に前記第１の通信手段を起動することと、
前記第１の通信手段が、前記位置登録に関する所定の条件が満たされて起動された場合に位置登録のための処理を実行することと、
を含むことを特徴とする制御方法。
【請求項１４】
セルラ通信システムにおける無線通信のための端末装置の第１の通信手段を起動可能な前記端末装置の第２の通信手段で受信される無線信号を送信する送信手段を有する基地局装置の制御方法であって、前記端末装置の第２の通信手段は前記無線信号の電力を用いて当該無線信号を受信し、
前記方法は、前記送信手段が、前記基地局装置のエリアの情報を含んだ前記無線信号を送信することを含む、
ことを特徴とする制御方法。
【請求項１５】
端末装置の電源を用いてセルラ通信システムにおける無線通信を行うための第１の通信手段と、基地局装置から送信された無線信号を当該無線信号の電力を用いて受信する第２の通信手段とを有する端末装置に備えられたコンピュータに、請求項１３に記載の制御方法を実行させるためのプログラム。
【請求項１６】
セルラ通信システムにおける無線通信のための端末装置の第１の通信手段を起動可能な前記端末装置の第２の通信手段で受信される無線信号を送信する送信手段を有する基地局装置に備えられたコンピュータに、請求項１４に記載の制御方法を実行させるためのプログラム。
【発明の詳細な説明】
【技術分野】
【０００１】
本発明は、端末装置のセルラ通信システムにおける位置登録技術に関する。
【背景技術】
【０００２】
無線通信システムにおける重要な課題として、端末装置の省電力化が存在する。これに対して、非特許文献１には、スリープ中の端末装置が、ネットワーク側から送信されたウェイクアップ信号を、受動回路を用いて検知した場合に起動するような構成が記載されている。なお、端末装置は、スリープ中にＲＦ（Ｒａｄｉｏ  Ｆｒｅｑｕｅｎｃｙ）回路やベースバンド回路の電源をオフとする。非特許文献１のような構成では、ネットワーク側からウェイクアップ信号が送信されない限り端末装置のＲＦ回路やＢＢ回路の電源がオンとされない。このため、従来の一定周期ごとに起動する省電力動作より、さらに端末装置の消費電力を大きく低減することができる。
【先行技術文献】
【非特許文献】
【０００３】
【非特許文献１】３ＧＰＰ寄書、ＲＰ−１７２３７３、２０１７年１２月
【発明の概要】
【発明が解決しようとする課題】
【０００４】
ＬＴＥ（ロングタームエボリューション）等の移動体無線通信システムでは、移動する端末装置に対する呼び出しを可能とするために、各端末装置の位置をネットワーク側が認識するための位置登録が行われる。従来、端末装置は、一定周期ごとに起動して制御信号を受信し、例えばトラッキングエリア（ＴＡ）を跨いで移動した場合に、ネットワークに対して位置登録要求を送信する。これに対して、非特許文献１に記載のように、端末装置がウェイクアップ信号を受信しない限り起動しない場合、起動していない状態の端末装置は、ＴＡを跨いで移動しても、そのＴＡの変化を認識することができず、位置登録要求を送信できない可能性がある。このため、ネットワークにおいて、端末装置の位置を特定することができず、その端末装置の呼び出しを行うことができなくなる場合がありうる。
【０００５】
本発明は上記課題に鑑みなされたものであり、端末装置の消費電力を抑制しながら位置登録を確実に実行するための手法を提供することを目的とする。
【課題を解決するための手段】
【０００６】
本発明の一態様による端末装置は、前記端末装置の電源を用いてセルラ通信システムにおける無線通信を行うための第１の通信手段と、基地局装置から送信された無線信号を当該無線信号の電力を用いて受信する第２の通信手段であって、前記無線信号に含まれる前記基地局装置の位置に関する情報が位置登録に関する所定の条件を満たす場合に前記第１の通信手段を起動する第２の通信手段と、を有し、前記第１の通信手段は、前記位置登録に関する所定の条件が満たされて起動された場合に位置登録のための処理を実行する、ことを特徴とする。
【０００７】
本発明の一態様による基地局装置は、セルラ通信システムにおける無線通信のための端末装置の第１の通信手段を起動可能な前記端末装置の第２の通信手段で受信される無線信号を送信する送信手段を有し、前記端末装置の第２の通信手段は前記無線信号の電力を用いて当該無線信号を受信し、前記送信手段は、前記基地局装置のエリアの情報を含んだ前記無線信号を送信する、ことを特徴とする。
【発明の効果】
【０００８】
本発明によれば、端末装置の消費電力を抑制しながら位置登録を確実に実行することができる。
【図面の簡単な説明】
【０００９】
【図１】無線通信システムの構成例を示す図。
【図２】装置のハードウェア構成例を示す図。
【図３】基地局装置の機能構成例を示す図。
【図４】端末装置の機能構成例を示す図。
【図５】無線通信システムで実行される処理の流れの第１の例を示す図。
【図６】無線通信システムで実行される処理の流れの第２の例を示す図。
【図７】無線通信システムで実行される処理の流れの第３の例を示す図。
【発明を実施するための形態】
【００１０】
以下、図面を参照しながら、本発明の実施の形態について説明する。
【００１１】
（システム構成）
図１に、本実施形態に係る無線通信システムの構成例を示す。なお、本実施形態に係る無線通信システムはセルラ通信システムであるものとするが、端末装置の位置登録が要求される任意の無線通信システムが採用されうる。無線通信システムは、基地局装置１０１及び端末装置１０２を含んで構成される。なお、図１では３つの基地局装置１０１と１つの端末装置１０２が含まれるシステムの例を示しているが、一般に、多数の基地局装置１０１と多数の端末装置１０２とがシステム内に含まれる。なお、基地局装置１０１は１つ以上のエリアを形成し、そのエリア内に存在する端末装置１０２と無線通信を行うことができる。なお、端末装置１０２の位置登録は、例えば、端末装置１０２の電源がオンとなったときや、境界１０３によってエリア端が表されるトラッキングエリアを跨いで端末装置１０２が移動した場合に実行される。
【００１２】
本実施形態では、端末装置１０２は、省電力化のために、ＲＦ（Ｒａｄｉｏ  Ｆｒｅｑｕｅｎｃｙ）回路やベースバンド回路の電源をオフとするスリープ状態へと移行することができる。端末装置１０２は、スリープ中に、基地局装置１０１（ネットワーク）から送信されるウェイクアップ信号を、そのウェイクアップ信号の電力で駆動する通信回路を用いて待ち受ける。そして、端末装置１０２は、そのウェイクアップ信号に基づいて、端末装置１０２自身の電源を用いた無線通信のためのＲＦ回路やベースバンド回路を起動する。なお、端末装置１０２は、スリープ状態のままトラッキングエリアの境界１０３を跨いで移動すると、その際に位置登録処理を実行しないため、ネットワーク側において端末装置１０２の位置を捕捉できなくなりうる。
【００１３】
このため、本実施形態では、基地局装置１０１は、端末装置１０２を起動可能なウェイクアップ信号として、端末装置１０２への送信データが存在することを示す信号に加えて、基地局装置１０１のエリア（位置）の情報を含んだ信号を送信する。そして、端末装置１０２は、基地局装置１０１のエリアの情報を含んだウェイクアップ信号を受信し、その情報が、位置登録に関する所定の条件を満たす場合に、自装置の電源によって駆動するＲＦ回路やベースバンド回路を起動する。そして、端末装置１０２は、基地局装置１０１のエリアの情報が位置登録に関する所定の条件を満たして自装置の電源によって駆動する通信回路を起動した場合に、その通信回路を用いて位置登録のための処理を実行する。なお、端末装置１０２は、基地局装置１０１のエリアの情報が位置登録に関する所定の条件を満たさないが、例えば端末装置１０２宛のデータが存在すること等に起因するウェイクアップ信号によって自装置の電源で駆動する通信回路を起動した場合は、位置登録のための処理を実行しなくてもよい。
【００１４】
端末装置１０２は、例えば、基地局装置１０１のエリアの情報が変化したことに応じて、位置登録に関する所定の条件が満たされると判定し、自装置の電源によって駆動する通信回路を起動し、位置登録のための所定の処理を実行しうる。端末装置１０２は、位置登録に関する所定の条件が満たされると判定される（例えば、基地局装置１０１のエリアの情報が変化する）度に、基地局装置１０１のエリアの情報を保持しうる。そして、端末装置１０２は、その後に受信した基地局装置１０１のエリアの情報が、保持している情報と一致しているか否かによって、所定の条件が満たされるか否かを判定しうる。
【００１５】
端末装置１０２は、位置登録のための処理として、例えば、トラッキングエリアを確認可能な信号を受信することと、トラッキングエリアが変化していた場合に、位置登録要求を基地局装置１０１へ送信することを実行する。これによれば、端末装置１０２は、例えば、基地局装置１０１のエリアの情報が変化したことに応じて、自装置の電源によって駆動する通信回路を用いてトラッキングエリアを確認する。そして、端末装置１０２は、滞在しているトラッキングエリアに変化があった場合に位置登録要求を送信し、滞在しているトラッキングエリアに変化がなかった場合には位置登録要求を送信しない。これにより、端末装置１０２がスリープ状態のままトラッキングエリアを跨いで移動することがなくなるため、ネットワークが端末装置１０２の位置を認識できなくなる確率を低減することができる。なお、トラッキングエリアを確認可能な信号は、例えばシステム情報を含んだ信号でありうる。端末装置１０２は、例えば、基地局装置１０１からブロードキャストされる信号によって、トラッキングエリアを確認することができる。
【００１６】
また、トラッキングエリアごとに１つ以上のセルの識別子のグループが形成されてもよい。すなわち、１つのトラッキングエリアに属するセルに対しては、１つのグループに属する識別子のうちのいずれかが割り当てられてもよい。この場合、端末装置１０２は、位置登録のための処理として、セルの識別子（ＰＣＩ、Physical Cell ID）を確認可能な信号を受信し、受信した識別子が属するグループが変化したかを判定しうる。そして、端末装置１０２は、受信したセルの識別子が属するグループが変化した場合に、位置登録要求を基地局装置１０１へ送信する。すなわち、セルの識別子が、トラッキングエリアごとにグループ分けされているシステムにおいては、受信した識別子が属するグループが変化した場合には、異なるトラッキングエリアの領域に進入したこととなる。したがって、端末装置１０２は、このような場合に位置登録要求を基地局装置１０１へ送信することで、スリープ状態のままトラッキングエリアを跨いで移動することがなくなる。なお、セルの識別子を確認可能な信号は、例えば、同期信号でありうる。
【００１７】
また、基地局装置１０１は、エリアの情報としてトラッキングエリアに関する情報（例えばトラッキングエリアＩＤ（ＴＡＩ）、トラッキングエリアコード（ＴＡＣ））を送信してもよい。端末装置１０１は、受信したトラッキングエリアに関する情報が変化した場合に、位置登録に関する所定の条件が満たされると判定しうる。そして、端末装置１０１は、この受信したトラッキングエリアに関する情報が変化したことに応じて、自装置の電源によって駆動する通信回路を起動して、その通信回路によって位置登録要求を送信する。これによれば、端末装置１０２は、トラッキングエリアが変化しない間は、自装置の電源によって駆動する通信回路を起動しないため、端末装置１０２の消費電力を低く抑えることが可能となる。
【００１８】
なお、基地局装置１０１は、基地局装置１０１のエリアの情報を含んだウェイクアップ信号を、自装置を含んだセルラ通信システムのシステム周波数帯域内において送信しうる。また、基地局装置１０１は、基地局装置１０１のエリアの情報を含んだウェイクアップ信号を、そのセルラ通信システムのガードバンドの周波数帯域において送信してもよい。
【００１９】
以下では、このような処理を実行する基地局装置１０１及び端末装置１０２の構成と、無線通信システムで実行される処理の流れの例について説明する。
【００２０】
（ハードウェア構成）
図２に、基地局装置１０１及び端末装置１０２のハードウェア構成例を示す。基地局装置１０１及び端末装置１０２は、一例において、図２に示すようなハードウェア構成を有し、例えば、ＣＰＵ２０１、ＲＯＭ２０２、ＲＡＭ２０３、外部記憶装置２０４、第１通信回路２０５、及び第２通信回路２０６を有する。基地局装置１０１及び端末装置１０２では、例えばＲＯＭ２０２、ＲＡＭ２０３及び外部記憶装置２０４のいずれかに記録された、上述のような基地局装置１０１及び端末装置１０２の各機能を実現するプログラムがＣＰＵ２０１により実行される。
【００２１】
そして、基地局装置１０１及び端末装置１０２は、例えばＣＰＵ２０１により第１通信回路２０５を制御して、自装置の電源を用いて、例えばセルラ通信システムにおける他の装置との無線通信を行う。また、端末装置１０２の第２通信回路２０６は、例えば、基地局装置１０１から送信された無線信号の電力によって起動可能な受動回路である。そして、基地局装置１０１の第２通信回路２０６は、端末装置１０２の第２通信回路２０６を起動可能な無線信号を送出することができるように構成される。端末装置１０２は、例えば、基地局装置１０１との通信を行わない間は、第１通信回路２０５への電力供給を遮断してスリープ状態へ移行する。なお、端末装置１０２は、場合によっては、スリープ状態の間にＣＰＵ２０１等への電力供給を遮断してもよい。そして、端末装置１０２は、基地局装置１０１から送信された無線信号の電力で第２通信回路２０６を起動し、第２通信回路２０６によってその無線信号を受信する。そして、端末装置１０２の第２通信回路２０６は、その無線信号に含まれる基地局装置１０１のエリアの情報が位置登録に関する所定の条件を満たすと判定した場合、例えば、第１通信回路２０５への電力供給を行うようにＣＰＵ２０１に指示信号を出力する。そして、端末装置１０２は、第１通信回路２０５を起動した後に、その第１通信回路２０５を用いて位置登録のための処理を実行する。なお、基地局装置１０１の第２通信回路２０６は、端末装置１０２の第２通信回路２０６に対応するが、基地局装置１０１の電力を用いて動作する。そして、基地局装置１０１の第１通信回路２０５は、スリープ状態へは移行しないように構成されうる。なお、基地局装置１０１の第１通信回路２０５と第２通信回路２０６は、１つの通信回路によって構成されてもよい。ただし、この場合、端末装置１０２の第２通信回路２０６を起動可能な無線信号の送信と、セルラ通信システムにおける無線通信用の無線信号の送受信とを実行可能なように制御が行われる。
【００２２】
なお、基地局装置１０１の第１通信回路２０５は、１つ以上（複数）のビームを形成して端末装置１０２との間で無線通信することが可能でありうる。また、この場合、端末装置１０２の第１通信回路２０５は、基地局装置１０１の第１通信回路２０５によって形成されたビームのうちの少なくともいずれかを介して、基地局装置１０１と接続して無線通信することができるように構成される。なお、図２の構成において、基地局装置１０１及び端末装置１０２は、第１通信回路２０５及び第２通信回路２０６を有するような概略図を示しているが、これに限られず、さらなる通信回路を有してもよい。例えば、基地局装置１０１は、有線回線を通じて他の基地局装置や他のネットワークノードと通信を行うための別の通信回路をさらに有しうる。また、端末装置１０２は、例えばＮＲ用の通信回路と、ＬＴＥ（ロングタームエボリューション）用の通信回路とを別個に有してもよい。また、端末装置１０２は、例えば無線ＬＡＮ等のセルラ以外の規格に関する通信回路を有してもよいし、さらに、例えばＵＳＢ接続等による有線接続時に用いられる通信回路を有してもよい。
【００２３】
なお、基地局装置１０１及び端末装置１０２は、各機能を実行する専用のハードウェアを備えてもよいし、一部をハードウェアで実行し、プログラムを動作させるコンピュータでその他の部分を実行してもよい。また、全機能がコンピュータとプログラムにより実行されてもよい。
【００２４】
（機能構成）
図３に、基地局装置１０１の機能構成例を示す。基地局装置１０１は、例えば、その機能構成として、第１通信部３０１、第２通信部３０２、及びエリア情報記憶部３０３を有する。なお、基地局装置１０１は、一般的なセルラ通信システムの基地局装置としての機能を有するが、ここでの詳細な説明については省略する。第１通信部３０１は、セルラ通信システムでの制御通信やデータ通信等の実体的な通信を実行する。基地局装置１０１は、第１通信部３０１を介して、接続中の端末装置１０２との間の無線通信を実行する。第２通信部３０２は、端末装置１０２において低消費電力の通信回路で受信される無線信号を送信する。この無線信号は、一例において、端末装置１０２の低消費電力の通信回路に電力を供給してその通信回路を起動可能な無線信号である。エリア情報記憶部３０３は、基地局装置１０１のエリアの情報を記憶する。第２通信部３０２は、エリア情報記憶部３０３に記憶されている、基地局装置１０１のエリアの情報を含んだ無線信号を送信する。ここで、基地局装置１０１のエリアの情報は、基地局装置１０１が形成するセル等のエリアに関する情報であってもよいし、トラッキングエリアの情報であってもよい。この無線信号は、端末装置１０２において、この基地局装置１０１のエリアの情報が位置登録のための所定の条件を満たす場合に、例えば内部の電源を用いたセルラ通信システムでの実体的な無線通信のための通信回路が起動される。すなわち、この無線信号は、条件付きのウェイクアップ信号である。なお、第２通信部３０２は、この無線信号を、セルラ通信システムのシステム周波数帯域内において送信してもよいし、セルラ通信システムのガードバンドの周波数帯域において送信してもよい。
【００２５】
図４に、端末装置１０２の機能構成例を示す。端末装置１０２は、第１通信部４０１と第２通信部４０２とを有する。なお、第２通信部４０２は、その機能としてエリア情報保持部４２１及び条件判定部４２２を含み、第１通信部４０１は、その機能として位置登録処理部４１１を含む。第１通信部４０１は、端末装置１０２内部の電源（不図示）を用いて、セルラ通信システムでの無線通信を実行する。第２通信部４０２は、基地局装置１０１からの無線信号の電力を用いてその無線信号を受信する。なお、第２通信部４０２は、低消費電力で無線信号を受信可能に構成される限りにおいて、基地局装置１０１からの無線信号の電力を用いなくてもよい。例えば、第２通信部４０２は、ボタン電池等の電源によって基地局装置１０１からの無線信号を受信するように構成されてもよい。
【００２６】
エリア情報保持部４２１は、端末装置１０２が基地局装置１０１と接続中に例えば第１通信部４０１を介して基地局装置１０１のエリアの情報を取得した時点の、又は、基地局装置１０１のエリアの情報が変化したことを検出した時点の、その基地局装置１０１のエリアの情報を保持する。条件判定部４２２は、エリア情報保持部４２１が保持している基地局装置１０１のエリアの情報と、第２通信部４０２によって受信した無線信号によって取得された基地局装置１０１のエリアの情報とに基づいて、位置登録のための所定の条件が満たされたか否かを判定する。条件判定部４２２は、例えば、受信した基地局装置１０１のエリアの情報が、保持されている情報と異なっている場合に、所定の条件が満たされたと判定する。また、条件判定部４２２は、例えば、端末装置１０２宛のデータを基地局装置１０１が保持している場合などに端末装置１０２を指定して起動させるために基地局装置１０１から送信された無線信号を第２通信部４０２で受信した場合に、データ通信のための所定の条件が満たされたと判定しうる。条件判定部４２２は、所定の条件が満たされたと判定した場合に、第１通信部４０１を起動するための信号を出力する。
【００２７】
位置登録処理部４１１は、位置登録のための所定の条件が満たされたと条件判定部４２２が判定したことに応じて第１通信部４０１が起動した場合に、位置登録のための処理を実行する。位置登録処理部４１１は、例えば、基地局装置１０１からトラッキングエリアの情報やセルの識別子を取得する処理と、トラッキングエリアの変化や上述のようなセルの識別子のグループの変化があった場合に、位置登録要求を基地局装置１０１へ送信する。これにより、トラッキングエリアの変化があった場合には、第１通信部４０１を介して、位置登録が行われる。また、基地局装置１０１のエリアの情報が、トラッキングエリアの情報である場合は、第１通信部４０１は、位置登録のための処理として、基地局装置１０１への位置登録要求の送信を行う。
【００２８】
（処理の流れ）
続いて、本実施形態に係る無線通信システムで実行される処理の流れの例について説明する。図５は、第１の処理例を示している。本処理例では、基地局装置１０１は、例えば定期的に、自装置のエリアの情報を含んだウェイクアップ信号を送信する（Ｓ５０１）。ここで、ウェイクアップ信号は、上述のように、端末装置１０２がスリープ状態の間に第２通信部４０２を用いて受信可能な無線信号であり、基地局装置１０１のエリアの情報が所定の条件を満たす場合に第１通信部４０１を起動させるトリガを与える無線信号である。また、このウェイクアップ信号は、基地局装置１０１のエリアの情報以外に、送信対象データが存在し起動させるべき端末装置１０２を指定する情報が含まれてもよい。また、送信対象データが存在し起動させるべき端末装置１０２を指定する情報は、Ｓ５０１のようなウェイクアップ信号とは別個に送信されてもよい。
【００２９】
その後、例えば端末装置１０２が移動して基地局装置１０１のエリア内に進入すると、端末装置１０２は、基地局装置１０１からの、エリア情報を含んだウェイクアップ信号を受信することができるようになる（Ｓ５０２）。なお、端末装置１０２は、Ｓ５０２で基地局装置１０１からのエリアの情報を受信するまでは、他の基地局装置からエリアの情報を受信することができる。基地局装置１０１は、ウェイクアップ信号をセルラ通信システムのシステム周波数帯域内やガードバンドで送信することによって、セルラ通信システムにおいて通信が可能なエリアに滞在する端末装置１０２がウェイクアップ信号を受信できる確率を向上させ、それ以外の端末装置１０２がウェイクアップ信号を受信してしまう確率を低減することができる。
【００３０】
ここで、端末装置１０２は、基地局装置１０１から受信したエリアの情報の変化を検知したものとする（Ｓ５０３）。端末装置１０２は、このエリアの情報の検知に応じて、スリープ状態を解除し、自装置内の電源を利用した第１通信部４０１による無線通信が可能な状態へと移行する（Ｓ５０４）。そして、端末装置１０２は、例えば、システム情報を受信し（Ｓ５０５）、トラッキングエリアの情報を取得する。そして、端末装置１０２は、トラッキングエリアの情報の変化を検知すると（Ｓ５０６）、基地局装置１０１に対して位置登録要求を送信して、位置登録処理を実行する（Ｓ５０７）。そして、端末装置１０２は、位置登録処理を完了すると、再度、スリープ状態へ移行する（Ｓ５０８）。
【００３１】
なお、端末装置１０２は、基地局装置１０１から受信したエリアの情報の変化を検知しなかった場合は、スリープ状態からの復帰を行わない。また、端末装置１０２は、スリープ状態からの復帰後にトラッキングエリアの変化を検知しなかった場合は、位置登録処理を実行せずにスリープ状態へと移行しうる。また、端末装置１０２は、基地局装置１０１からのエリアの情報を受信したことに応じて、その情報を保持し、同じ情報が受信されている間は、スリープ状態から復帰しないようにしうる。これにより、端末装置１０２は、不必要にスリープ状態から復帰しなくなるため、消費電力を抑制することができる。
【００３２】
図６に、第２の処理例を示す。図６の例は、基地局装置１０１が送信するエリアの情報が、トラッキングエリアの情報（ＴＡＩ又はＴＡＣ）である場合の例である。本例では、基地局装置１０１は、トラッキングエリアの情報を含んだウェイクアップ信号を送信する（Ｓ６０１、Ｓ６０２）。この場合、端末装置１０２は、ウェイクアップ信号によってトラッキングエリアの情報を取得できるため、ウェイクアップ信号から直接、トラッキングエリアの変化を検知することができる（Ｓ６０３）。なお、トラッキングエリアの変化が検知された後の処理は図５と同様である。
【００３３】
図７に、第３の処理例を示す。本処理例では、トラッキングエリアごとにセルの識別子のグループが形成され、セルの識別子のグループの変化によってトラッキングエリアの変化を検知可能な場合の例を示す。Ｓ５０１からＳ５０４の処理は図５と同様である。端末装置１０２は、スリープ状態から復帰した後に、同期信号（プライマリ同期信号（ＰＳＳ）とセカンダリ同期信号（ＳＳＳ）との少なくともいずれか）を受信して、セル識別子（ＰＣＩ）を取得する（Ｓ７０１）。そして、端末装置１０２は、取得したセル識別子が、それまで属していたトラッキングエリアの識別子のグループに含まれない場合に、トラッキングエリアの変化を検知する（Ｓ７０２）。その後の処理は、図５及び図６と同様である。
【００３４】
以上のような処理により、端末装置１０２は、トラッキングエリアの変化があった場合に、確実に位置登録処理を実行することができるようになり、ネットワークは、端末装置１０２の位置を捕捉し続けることができる。また、端末装置１０２は、基地局装置１０１からの無線信号の電力を用いる通信回路又は低消費電力の通信回路を用いて、基地局装置１０１のエリアの情報を取得するため、その情報に変化がない限り、不必要にスリープ状態を維持することができる。このため、端末装置１０２の消費電力を十分に低く抑えることができる。
【図１】
2019169923.tif 000003
【図２】
2019169923.tif 000004
【図３】
2019169923.tif 000005
【図４】
2019169923.tif 000006
【図５】
2019169923.tif 000007
【図６】
2019169923.tif 000008
【図７】
2019169923.tif 000009